(57)【要約】      （修正有）【課題】有効な電磁シールド機能を有するオスコネクタを提供する。【解決手段】オスコネクタは、導電性シールド部材２０と、端子コンポーネント３０とコネクタ本体４０とを備える。コネクタ本体は、プラスチックで形成され、内部に端子コンポーネントを収容可能な端子穴４１が含まれ、端子コンポーネントは、コネクタ本体内の端子穴に設けられる。導電性シールド部材はｍ字型構造であり、コネクタ本体の遠位側差込端部に設けられ、３つの接触面２２を含み、接触面の差込端部には何れも溝が設けられている。更に好ましくは、コネクタ本体の両側に設けられた固定穴５０を含む。導電性シールド部材の特別な構造により、導電・接地の作用効果以外に、電磁シールドとクロストーク防止の機能も有する。【選択図】図１
0003212385.tif 000002
【実用新案登録請求の範囲】
【請求項１】
導電性シールド部材（２０）と、
端子コンポーネント（３０）と、
コネクタ本体（４０）と
を備え、
前記コネクタ本体（４０）は、プラスチックで形成されると共に、内部に前記端子コンポーネント（３０）を収容可能な端子穴（４１）が含まれ、
前記端子コンポーネント（３０）は前記コネクタ本体（４０）内の前記端子穴（４１）に設けられたオスコネクタであって、
前記導電性シールド部材（２０）はｍ字型構造であり、前記コネクタ本体（４０）の遠位側差込端部に設けられ、３つの接触面（２２）を含み、前記接触面（２２）は前記導電性シールド部材（２０）の差込端部になる前記ｍ字型構造における３つの脚部（２１）に設けられ、前記各接触面（２２）の差込端部には何れも溝（２３）が設けられたことを特徴とするオスコネクタ。
【請求項２】
前記コネクタ本体（４０）の両側に設けられた固定穴（５０）を含むことを特徴とする請求項１に記載のオスコネクタ。
【考案の詳細な説明】
【技術分野】
【０００１】
この考案はオスコネクタに関し、特に有効なシールド機能を有するオスコネクタに関するものである。
【背景技術】
【０００２】
現在、電磁スペクトルが日に日に密集し、電磁効率の密度が急激に増加し、設備が大量に混合使用されている場合には、システムの電磁環境がますます悪化してしまう。コネクタは、電気システムの中で不可欠な一部として、システムのデータの転送速度と信号伝達の品質に影響を与えるので、電磁シールドの重要性は一層著しくなる。
【考案の概要】
【考案が解決しようとする課題】
【０００３】
電磁シールドの効果が悪くなった場合には、信号のクロストークやカップリングなどに起因する無用信号（ｇａｒｂａｇｅ  ｓｉｇｎａｌｓ）又はノイズ（ｎｏｉｓｅ）が生ずるので、結果としてはシステム全体の性能の安定及び寿命に影響してしまうという問題点があった。
【０００４】
この考案はこのような課題を解決するためになされたものであり、有効なシールド機能を有するオスコネクタを提供することを目的とする。
【課題を解決するための手段】
【０００５】
この考案に係るオスコネクタは、導電性シールド部材と、端子コンポーネントと、コネクタ本体とを備え、コネクタ本体は、プラスチックで形成されると共に、内部に端子コンポーネントを収容可能な端子穴が含まれ、端子コンポーネントは、コネクタ本体内の端子穴に設けられたオスコネクタであって、導電性シールド部材はｍ字型構造であり、コネクタ本体の遠位側差込端部に設けられ、３つの接触面を含み、接触面は導電性シールド部材の差込端部となるｍ字型構造における３つの脚部に設けられ、各接触面の差込端部には何れも溝が設けられる。
さらに、コネクタ本体の両側に設けられた固定穴を含んでもよい。
【考案の効果】
【０００６】
この考案のオスコネクタによれば、導電性シールド部材はｍ字型構造であり、コネクタ本体の遠位側差込端部に設けられ、３つの接触面を含み、接触面は導電性シールド部材の差込端部となるｍ字型構造における３つの脚部に設けられ、各接触面の差込端部には何れも溝が設けられるので、効果的な電磁シールド機能を有する。
【図面の簡単な説明】
【０００７】
【図１】この考案の実施の形態に係るオスコネクタの分解図である。
【図２】図１に記載されたオスコネクタの導電性シールド部材の側面図である。
【考案を実施するための形態】
【０００８】
以下、この考案の実施の形態を添付図面の図１及び図２に基づいて詳しく説明するが、本考案を限定するものではない。
図１に示すように、オスコネクタ１０は、導電性シールド部材２０と、端子コンポーネント３０と、コネクタ本体４０と固定穴５０とを含む。コネクタ本体４０はプラスチックで形成され、内部に端子コンポーネント３０を収容可能なキャビティ（ｃａｖｉｔｙ）すなわち端子穴４１が含まれる。端子コンポーネント３０はコネクタ本体４０内の端子穴４１に設けられる。
【０００９】
導電性シールド部材２０は、ｍ型構造（ｓｈａｐｅ  ｏｆ  ’ｍ’）すなわちアルファベットのｍの字の形状の構造（ｍ字型構造）であり、導電性シールド部材２０は、コネクタ本体４０の遠嵌合端（ｆａｒ  ｐｌｕｇｇｉｎｇ  ｅｎｄｓ）すなわち遠位側差込端部に設けられ、３つのコンタクト領域（ｃｏｎｔａｃｔｉｎｇ  ａｒｅａｓ）すなわち接触面２２を含み、接触面２２が導電性シールド部材２０の嵌合端（ｐｌｕｇｇｉｎｇ  ｅｎｄｓ）すなわち差込端部となるｍ字型構造における３つの脚部２１に設けられる。
【００１０】
固定穴５０は、コネクタ本体４０の両側部に設けられる。
【００１１】
図２に示すように、各接触面２２の各差込端部には何れも空きポスト（ｓｌｏｔ）すなわち溝２３が設けられる。
【００１２】
上記技術的な解決手段を使用した後、本考案は以下の有益な効果を有する。
従来の技術的な解決手段と比べ、本オスコネクタは有効な電磁シールド機能を有する。その新規ポイントとして、導電性シールド部材２０の特別な構造では、導電・接地の効果を奏するとともに、電磁シールドやクロストーク防止の機能を有するようになる。そのうち、導電性シールド部材２０のｍ字型構造は、接地針（ｇｒｏｕｎｄ ｐｉｎ）すなわちグランドピンと電気接続可能になることにより接地導電の機能を果たす。
【００１３】
各接触面２２の差込端部には何れも溝２３が設けられることにより、この導電性シールド部材２０は電磁波を吸収し、信号のクロストークを防止でき、コネクタの伝達効率を向上させることができる。
【００１４】
このように、導電性シールド部材２０と、端子コンポーネント３０と、コネクタ本体４０とを備え、コネクタ本体４０は、プラスチックで形成されると共に、内部に端子コンポーネント３０を収容可能な端子穴４１が含まれ、端子コンポーネント３０は、コネクタ本体内の端子穴４１に設けられたオスコネクタであって、導電性シールド部材２０はｍ字型構造であり、コネクタ本体４０の遠位側差込端部に設けられ、３つの接触面２２を含み、接触面２２は導電性シールド部材２０の差込端部となるｍ字型構造における３つの脚部２１に設けられ、各接触面２２の差込端部には何れも溝２３が設けられているので、効果的な電磁シールド機能を有する。
【００１５】
技術常識により、その要旨の実質又は必要な特徴から逸脱しない実施案で、本考案を実現することができる。従って、上記の実施の形態は各面から見れば、例による説明に過ぎず、唯一なものではない。本考案の範囲内又は本考案と同一の範囲内での全ての変更は、いずれも本考案に含まれる。
【符号の説明】
【００１６】
１０  オスコネクタ、２０  導電性シールド部材、２１  脚部、２２  接触面、２３  溝、３０  端子コンポーネント、４０  コネクタ本体、４１  端子穴、５０  固定穴。
【図１】
0003212385.tif 000003
【図２】
0003212385.tif 000004